(57)【要約】【課題】  周期的に変化している雑音が突発的に発生している状態において、回線切断を回避し、データ伝送を行う際のリンク速度の再設定を防止する通信品質管理装置を提供する。【解決手段】  データ伝送を行う際のリンク速度を設定し、該設定したリンク速度によるデータ伝送を行っている際に、周期的に変化する雑音周期よりも短い周期で、ＣＲＣエラー検出部（３１４、４１４）においてエラーが発生したか否かを、ＣＲＣエラーカウンタ（３１６、４１６）が所定時間監視し、ＣＲＣエラーカウンタ（３１６、４１６）が所定時間監視した際に発生したエラーの有無を基に、突発的に発生している周期的な雑音周期か否かを周期雑音検出部（３１７、４１７）が判定し、突発的に発生している雑音周期であると判定した場合は、回線切断を回避し、周期的な雑音の発生が終了した際に、上記設定したリンク速度によるデータ伝送を行う。【選択図】  図１
2005348261.tif 000002
【特許請求の範囲】
【請求項１】
データ伝送を行う際のリンク速度の管理を行う通信品質管理装置であって、
前記リンク速度によるデータ伝送を行っている際に、周期的に変化する雑音周期よりも短い周期で、エラーが発生したか否かを、所定時間監視し、該監視した際に発生した前記エラーの有無を基に、突発的に発生している周期的な雑音周期か否かを判定し、突発的に発生している雑音周期と判定した場合には、回線切断を回避し、前記リンク速度によるデータ伝送を行うことを特徴とする通信品質管理装置。
【請求項２】
前記所定時間監視した際に、前記エラーの発生の有無が複数ある場合には、雑音周期と判定することを特徴とする請求項１記載の通信品質管理装置。
【請求項３】
前記所定時間監視した際に、前記エラーの発生の有無が有のみの場合には、雑音周期でないと判定し、回線切断を行い、雑音環境を基にリンク速度を決定し、該決定したリンク速度によるデータ伝送を行うことを特徴とする請求項１記載の通信品質管理装置。
【請求項４】
周期的な雑音周期よりも短い周期で、所定の閾値よりもおおきくなったエラー量を検出した際に、前記エラーが発生したとみなし、所定の閾値以下となったエラー量を検出した際に、前記エラーが発生していないとみなすことを特徴とする請求項１記載の通信品質管理装置。
【請求項５】
前記所定の閾値は０であることを特徴とする請求項４記載の通信品質管理装置。
【請求項６】
前記所定の閾値を設定する設定手段を有することを特徴とする請求項４または５記載の通信品質管理装置。
【請求項７】
前記雑音周期と判定した場合には、回線切断を回避し、前記雑音周期の発生が終了した後に、前記リンク速度によるデータ伝送を行うことを特徴とする請求項１記載の通信品質管理装置。
【請求項８】
周期的に変化する雑音周期よりも短い周期で、エラーが発生したか否かを、所定時間監視する際の、前記周期的に変化する雑音周期は、突発的に発生する雑音周期であることを特徴とする請求項１記載の通信品質管理装置。
【請求項９】
データ伝送を行う際のリンク速度の管理を行う伝送装置における通信品質管理方法であって、
前記伝送装置において、前記リンク速度によるデータ伝送を行っている際に、周期的に変化する雑音周期よりも短い周期で、エラーが発生したか否かを、所定時間監視し、該監視した際に発生した前記エラーの有無を基に、突発的に発生している周期的な雑音周期か否かを判定し、突発的に発生している雑音周期と判定した場合には、回線切断を回避し、前記リンク速度によるデータ伝送を行うことを特徴とする通信品質管理方法。
【請求項１０】
前記所定時間監視した際に、前記エラーの発生の有無が複数ある場合には、雑音周期と判定することを特徴とする請求項９記載の通信品質管理方法。
【請求項１１】
前記所定時間監視した際に、前記エラーの発生の有無が有のみの場合には、雑音周期でないと判定し、回線切断を行い、雑音環境を基にリンク速度を決定し、該決定したリンク速度によるデータ伝送を行うことを特徴とする請求項９記載の通信品質管理方法。
【請求項１２】
周期的な雑音周期よりも短い周期で、所定の閾値よりもおおきくなったエラー量を検出した際に、前記エラーが発生したとみなし、所定の閾値以下となったエラー量を検出した際に、前記エラーが発生していないとみなすことを特徴とする請求項９記載の通信品質管理方法。
【請求項１３】
前記所定の閾値は０であることを特徴とする請求項１２記載の通信品質管理方法。
【請求項１４】
前記所定の閾値を設定する設定工程を前記伝送装置が行うことを特徴とする請求項１２または１３記載の通信品質管理方法。
【請求項１５】
前記雑音周期と判定した場合には、回線切断を回避し、前記雑音周期の発生が終了した後に、前記リンク速度によるデータ伝送を行うことを特徴とする請求項９記載の通信品質管理方法。
【請求項１６】
周期的に変化する雑音周期よりも短い周期で、エラーが発生したか否かを、所定時間監視する際の、前記周期的に変化する雑音周期は、突発的に発生する雑音周期であることを特徴とする請求項９記載の通信品質管理方法。
【発明の詳細な説明】
【技術分野】
【０００１】
本発明は、電話線などのメタリックケーブルで数Ｍビット／秒の高速データ伝送を可能とするｘＤＳＬ（ｘ  Ｄｉｇｉｔａｌ  Ｓｕｂｓｃｒｉｂｅｒ  Ｌｉｎｅ）（ｘは、Ａ、Ｓ、Ｖ等の総称）に適用されるマルチキャリア伝送システムに関し、特に、雑音レベルが変化するタイミングが既知の雑音環境下において、データ伝送を行う際のリンク速度の管理を行う通信品質管理装置及び通信品質管理方法に関するものである。
【背景技術】
【０００２】
近年、電話線などのメタリックケーブルで、数Ｍビット／秒の高速データ伝送を可能とするｘＤＳＬ技術に注目が集まっている。中でも、注目を集めているのが、ＡＤＳＬ（Ａｓｙｍｍｅｔｒｉｃ  Ｄｉｇｉｔａｌ  Ｓｕｂｓｃｒｉｂｅｒ  Ｌｉｎｅ）である。このＡＤＳＬは、上りと下りとで伝送速度が異なっており、この非対称性がインターネットのアクセスに適している。
【０００３】
まず、図６を参照しながら、ＡＤＳＬサービスの提供を受ける際のＡＤＳＬ伝送装置の構成について説明する。
【０００４】
ＡＤＳＬサービスの提供を受ける場合には、ＰＣ（１００）は、ＡＤＳＬモデム（１０１）と、スプリッタ（ＳＰＬ）（１０２）と、を介してモジュラージャック（ＭＪ）（１０３）へと接続されることになる。なお、ＡＤＳＬモデム（１０１）は、ＰＣ（１００）によるデジタル信号と、加入者線（メタリックケーブル）を伝送する際のアナログ信号と、の双方向変換を行うための機器である。また、スプリッタ（ＳＰＬ）（１０２）は、加入者線（メタリックケーブル）内の通話信号と、ＡＤＳＬによるデータ信号と、を分離するための装置であり、スプリッタ（ＳＰＬ）（１０２）は、通話信号の場合は、電話機側（１０４）に接続され、ＡＤＳＬによるデータ信号の場合は、ＡＤＳＬ宅内装置側（１０１、１００）に接続されることになる。
【０００５】
加入者線（メタリックケーブル）は、保安器（１０５）と、局内のＭＤＦ（Ｍａｉｎ  Ｄｉｓｔｒｉｂｕｔｉｏｎ  Ｆｒａｍｅ）（２０４）と称される分配器と、接続され、そのＭＤＦ（２０４）を介して、局内のスプリッタ（ＳＰＬ）（２０３）へと接続されることになる。このスプリッタ（ＳＰＬ）（２０３）は、通話信号の場合は、電話交換機側（２０２）に接続され、ＡＤＳＬ信号の場合は、ＤＳＬＡＭ（Ｄｉｇｉｔａｌ  Ｓｕｂｓｃｒｉｂｅｒ  Ｌｉｎｅ  Ｍｕｌｔｉｐｌｅｘｅｒ）（２０１）という、局内の多重化装置側に接続され、そのＤＳＬＡＭ（２０１）を介して、プロバイダからインターネットへと接続されることになる。なお、ＤＳＬＡＭ（２０１）は、アナログ信号として伝送されてきたデータをデジタル信号に変換し、プロバイダへと送信することになる。
【０００６】
ＡＤＳＬ伝送装置は、ＤＭＴ（Ｄｉｓｃｒｅｔｅ  Ｍｕｌｔｉ−Ｔｏｎｅ）と称される変復調方式を用いてデジタル信号をアナログ信号に変換して送信する。ＤＭＴ方式は、２５６のキャリアにＱＡＭ（Ｑｕａｄｒａｔｕｒｅ  Ａｍｐｌｉｔｕｄｅ／Ｐｈａｓｅ  ｍｏｄｕｌａｔｉｏｎ）による変調処理を行い、その変調したキャリアを、フーリエ逆変換を用いて多重化して送信する。そして、受信側は、多重化された信号から各キャリアを、フーリエ変換を用いて抽出し、ＱＡＭ変調された信号に復調処理を行い、データの高速伝送を図る方式である。
【０００７】
しかしながら、このＡＤＳＬ伝送装置においては、ＡＤＳＬ用のケーブルがＩＳＤＮ用のケーブルと同一のケーブル束に含まれていると、ＩＳＤＮケーブルからの影響により、ＡＤＳＬ回線の通信速度を低下させてしまうノイズの原因が複数ある。中でも、ＡＤＳＬ回線への影響が大きいのは、ＩＳＤＮ回線からの漏話雑音である。そこで、ケーブルを選択してＩＳＤＮ用の回線とＡＤＳＬ用の回線とが同一ケーブル束に含まれないように、選択することも可能である。しかし、この場合には、オペレータに対する負担が大きすぎることになる。そこで、ＩＳＤＮ用の回線と、ＡＤＳＬ用の回線と、を同一ケーブルに束に含ませた際に発生する漏話雑音によらず伝送量を確保することが可能となる伝送方法が所望されている。
【０００８】
まず、図７を参照しながら、ＡＤＳＬ回線に隣接する回線に、ＴＣＭ方式のＩＳＤＮ回線を使用した場合に、ＡＤＳＬ装置に発生する漏話雑音について説明する。なお、図７には、ＡＤＳＬ回線において、下り方向のデータ伝送を行っている時に、ＴＣＭ−ＩＳＤＮ回線によるデータ伝送によりＡＤＳＬ装置の端末側の装置である、ＡＴＵ−Ｒ（ＡＤＳＬ  Ｔｒａｎｓｃｅｉｖｅｒ  Ｕｎｉｔ−Ｒｅｍｏｔｅ  ｓｉｄｅ）に発生する漏話雑音が示されている。
【０００９】
ＴＣＭ方式のＩＳＤＮ回線では、１．２５ｍｓｅｃ毎に、上り方向と下り方向とのデータ伝送を交互に行っている。ＡＤＳＬ回線において、下り方向のデータ伝送を行っている時に、ＴＣＭ−ＩＳＤＮ回線が上り方向のデータ伝送を行うと、ＴＣＭ−ＩＳＤＮ回線からの減衰前の高出力の信号がＡＤＳＬ回線における減衰した信号に影響を及ぼし、端末ＡＴＵ−Ｒ側に「ＮＥＸＴ」（Ｎｅａｒ  Ｅｎｄ  Ｃｒｏｓｓ  Ｔａｌｋ）、「近端漏話」が発生してしまうことになる。
【００１０】
また、ＡＤＳＬ回線において下り方向のデータ伝送を行っている時に、ＴＣＭ−ＩＳＤＮ回線が下り方向のデータ伝送を行うと、ＴＣＭ−ＩＳＤＮ回線の信号が減衰したＡＤＳＬ回線の信号に影響を及ぼし、端末側ＡＴＵ−Ｒ側に「ＦＥＸＴ」（Ｆａｒ  Ｅｎｄ  Ｃｒｏｓｓ  Ｔａｌｋ）、「遠端漏話」が発生してしまうことになる。なお、同じ現象は、中央局側の装置であるＡＴＵ−Ｃ（ＡＤＳＬ  Ｔｒａｎｃｅｉｖｅｒ  Ｕｎｉｔ−Ｃｅｎｔｅｒ  Ｓｉｄｅ）においても発生することになる。
【００１１】
次に、図８を参照しながら、上述した漏話雑音の雑音量について説明する。なお、図８には、上述した漏話雑音の雑音量が示唆されている。図８に示唆するように、近端漏話発生時の雑音量は、遠端漏話発生時の雑音量よりも多いことになる。これは、ＴＣＭ−ＩＳＤＮ回線からの減衰前の高出力の信号が、ＡＤＳＬ回線における減衰した信号に影響を及ぼすからである。この雑音量の差に注目し、近端漏話発生時と遠端漏話発生時とでデータの伝送量を切り替えて送信する方式が提案されている。この方式は、デュアルビットマップ方式と呼ばれ、図８に示唆するように、雑音量の少ない遠端漏話「ＦＥＸＴ」の発生時にはデータ量を多く送信し、雑音量の多い近端漏話「ＮＥＸＴ」の発生時にはデータ量を少なく送信することになる。
【００１２】
このように、ＴＣＭ方式のＩＳＤＮ回線と回線とが隣接するＡＤＳＬ伝送装置においては、雑音量が周期的に変化するため、上り方向と下り方向とで各キャリアのＳＮＲ（Ｓｉｇｎａｌ  ｔｏ  Ｎｏｉｓｅ  Ｒａｔｉｏ）を測定し、この測定されたＳＮＲに従ってビット配分を求めるようになっている。
【００１３】
次に、図９を参照しながら、従来におけるＡＤＳＬ伝送装置について説明する。
【００１４】
＜ＡＴＵ−Ｃ（３００）側の構成＞
まず、ＡＴＵ−Ｃ（３００）の送信部には、上位装置から送られてくるデータに対してＣＲＣ（Ｃｙｃｌｉｃ  Ｒｅａｄｕａｎｃｙ  Ｃｈｅｃｋ）符号を付加するＣＲＣ処理部（３１５）と、ＣＲＣ符号を付加したデータに対して、スクランブル処理を施し、リードソロモン方式のエラー訂正符号を付加するスクランブル処理及び誤り訂正部（ｓｃｒａｍ＆ＦＥＣ（Ｆｏｒｗａｒｄ  Ｅｒｒｏｒ  Ｃｏｒｒｅｃｔｉｏｎ））（３０１）と、雑音レベルの変化するタイミングに応じて各キャリアの送信パワー配分、及び、ビット配分を切り替えて、キャリアにビット配分、及び、送信パワー配分をなすマッピング部（３０２）と、このマッピング出力である多値ＱＡＭ（Ｑｕａｄｒａｔｕｒｅ  Ａｍｐｌｉｔｕｄｅ  Ｍｏｄｕｌａｔｉｏｎ）信号を各キャリアで変調多重化するフーリエ逆変換部（３０３）と、この多重化出力をアナログ化して下りアナログ信号として送信するデジタル／アナログ（Ｄ／Ａ）変換部（３０４）と、を有している。
【００１５】
また、ＡＴＵ−Ｃ（３００）の受信部には、ＡＴＵ−Ｒ（４００）から伝送されるアナログ信号をデジタル信号に変換するアナログ／デジタル（Ａ／Ｄ）変換部（３０５）と、このデジタル信号にフーリエ変換を施すフーリエ変換部（３０６）と、雑音レベルの変化するタイミングに応じてビット配分と送信パワー配分を切り替えて、伝送されてきた信号を復調するデマッピング部（３０７）と、スクランブル処理を施し、エラー訂正により正しいデータに戻す処理を行うスクランブル処理及び誤り訂正部（ｓｃｒａｍ＆ＦＥＣ（Ｆｏｒｗａｒｄ  Ｅｒｒｏｒ  Ｃｏｒｒｅｃｔｉｏｎ））（３０８）と、予め決定された数式を用いて、データに付加されたＣＲＣ符号のチェック処理を行い、ＣＲＣエラー検出を行うＣＲＣエラー検出部（３１４）と、を有している。
【００１６】
＜ＡＴＵ−Ｒ（４００）側の構成＞
ＡＴＵ−Ｒ（４００）の送信部には、上位装置から送られてくるデータに対してＣＲＣ（Ｃｙｃｌｉｃ  Ｒｅａｄｕａｎｃｙ  Ｃｈｅｃｋ）符号を付加するＣＲＣ処理部（４１５）と、ＣＲＣ符号を付加したデータに対して、スクランブル処理を施し、リードソロモン方式のエラー訂正符号を付加するスクランブル処理及び誤り訂正部（ｓｃｒａｍ＆ＦＥＣ（Ｆｏｒｗａｒｄ  Ｅｒｒｏｒ  Ｃｏｒｒｅｃｔｉｏｎ））（４０１）と、雑音レベルの変化するタイミングに応じて各キャリアの送信パワー配分及びビット配分を切り替えて、キャリアにビット配分及び送信パワー配分をなすマッピング部（４０２）と、このマッピング出力である多値ＱＡＭ信号を各キャリアで変調多重化するフーリエ逆変換部（４０３）と、この多重化出力をアナログ化して上り信号として送信するデジタル／アナログ変換部（４０４）と、を有している。
【００１７】
また、ＡＴＵ−Ｒ（４００）の受信部には、ＡＴＵ−Ｃ（３００）から伝送されるアナログ信号をデジタル信号に変換するアナログ／デジタル（Ａ／Ｄ）変換部（４０８）と、このデジタル信号にフーリエ変換を施すフーリエ変換部（４０７）と、雑音レベルの変化するタイミングに応じてビット配分と送信パワー配分を切り替えて、伝送されてきた信号を復調するデマッピング部（４０６）と、スクランブル処理を施し、エラー訂正により正しいデータに戻す処理を行うスクランブル処理及び誤り訂正部（ｓｃｒａｍ＆ＦＥＣ（Ｆｏｒｗａｒｄ  Ｅｒｒｏｒ  Ｃｏｒｒｅｃｔｉｏｎ））（４０５）と、予め決定された数式を用いて、データに付加されたＣＲＣ符号のチェック処理を行い、ＣＲＣエラー検出を行うＣＲＣエラー検出部（４１４）と、を有している。
【００１８】
なお、ＡＴＵ−Ｃ（３００）、及び、ＡＴＵ−Ｒ（４００）には、疑似ランダム信号発生部（３１０、４０９）と、ビット・パワー配分計算部（３１２、４１０）と、が夫々設けられている。また、図１０には、ビット・パワー配分計算部（３１２）の詳細な構成が示され、図１１には、ビット・パワー配分計算部（４１０）の詳細な構成が示されている。
【００１９】
ＩＳＤＮの下り方向送信時に、ＡＴＵ−Ｃ（３００）には、近端漏話ＮＥＸＴが生じ、ＡＴＵ−Ｒ（４００）には、遠端漏話ＦＥＸＴが生じる。また、ＩＳＤＮの上り方向送信時に、ＡＴＵ−Ｃ（３００）には、遠端漏話ＦＥＸＴが生じ、ＡＴＵ−Ｒ（４００）には、近端漏話ＮＥＸＴが生じる。
【００２０】
このような雑音環境下において、データ伝送容量を確保するために、疑似ランダム信号発生部（３１０、４０９）は、データ伝送に使用する各キャリアに、予め定められた疑似ランダム列をなすデータを順次割り当てた疑似ランダム信号を発生し、フーリエ逆変換部（３０３、４０３）にそれぞれ出力し、対向局に出力される。
【００２１】
ビット・パワー配分計算部（３１２、４１０）は、対向局側の疑似ランダム信号発生部（４０９、３１０）により発生した疑似ランダム信号を用いてデータ伝送に用いる各キャリアに割り当てるビット配分、及び、各キャリアに使用する送信パワー配分を、近端漏話発生時と遠端漏話とでそれぞれ求める。
【００２２】
その求められたビット配分、及び、送信パワー配分は、自局側のデマッピング部（３０７、４０６）と、対向局側のマッピング部（３０２、４０２）と、にそれぞれ記憶される。
【００２３】
以下に、上述したビット配分、及び、送信パワー配分を求める処理フローの詳細な説明を行う。但し、ＡＴＵ−Ｃ（３００）と、ＡＴＵ−Ｒ（４００）と、では同一の処理を行っているので、下り方向のビット配分、及び、送信パワー配分を求める処理についてのみ説明する。
【００２４】
疑似ランダム信号発生部（３１０）は、キャリアに割り当てるビット配分、及び、各キャリアに使用する送信パワー配分を算出するトレーニング期間においては、データ伝送に使用する各キャリアの振幅を、予め定められた疑似ランダム列に従って割り当てられる所定データのビットの並びに応じた振幅に変調してフーリエ逆変換部（３０３）に出力する。
【００２５】
フーリエ逆変換部（３０３）は、振幅の変調された各キャリアにフーリエ逆変換を施し、各キャリアを足し合わせた、デジタル形式で表される電圧値を出力する。また、デジタル／アナログ（Ｄ／Ａ）変換部（３０４）は、デジタル形式の電圧値を実際の電圧値であるアナログ信号に変換して回線に出力することになる。
【００２６】
ＡＴＵ−Ｒ（４００）は、ＡＴＵ−Ｃ（３００）より送られたアナログ信号をアナログ／デジタル（Ａ／Ｄ）変換部（４０８）にてデジタル形式で表される電圧値に変換する。そして、フーリエ変換部（４０７）でデジタル形式の電圧値にフーリエ変換を施し、振幅の変調された各キャリアを取り出すことになる。
【００２７】
フーリエ変換部（４０７）で取り出された各キャリアは、ビット・パワー配分計算部（４１０）に出力される。
【００２８】
ビット・パワー配分計算部（４１０）は、まず、下り方向ＳＮＲ評価部（４１４）にて各キャリアのＳＮＲ値をＮＥＸＴ発生時と、ＦＥＸＴ発生時と、でそれぞれ複数算出し、各キャリアのＳＮＲの平均値を算出する。図１２に示唆するＡには、下り方向ＳＮＲ評価部（４１４）にて評価されたＦＥＸＴ発生時のＳＮＲの平均値、及び、ＮＥＸＴ発生時のＳＮＲの平均値が示されている。下り方向ＳＮＲ評価部（４１４）は、算出したＮＥＸＴ発生時のＳＮＲ平均値を、ＮＥＸＴ  ＳＮＲ（４１５）に、ＦＥＸＴ発生時のＳＮＲ平均値を、ＦＥＸＴ  ＳＮＲ（４１５）に、それぞれ保持する。
【００２９】
ビット・パワー配分テーブル計算部（４１６）は、測定した各キャリアのＳＮＲ平均値により雑音レベル毎に各キャリアのビット配分、及び、送信パワー配分を算出し、その算出したビット配分、及び、送信パワー配分をデマッピング部（４０６）に出力して記憶する共に、マッピング部（４０２）に出力する。図１２に示唆するＢには、下り方向ＳＮＲ評価部（４１４）で評価されたＳＮＲの平均値に従って各キャリアのビット配分を決定している状態が概念的に示されている。
【００３０】
マッピング部（４０２）は、データ伝送に用いるキャリアに割り当てるビット配分、及び、キャリアに使用する送信パワー配分とを算出するトレーニング期間においては、ビット・パワー配分計算部（４１０）により算出されたビット配分、及び、送信パワー配分の情報を所定のキャリアに所定のビット数ずつ割り当て、フーリエ逆変換部（４０３）に出力する。
【００３１】
フーリエ逆変換部（４０３）は、マッピング部（４０２）から送られた所定のキャリアにフーリエ逆変換を施し、デジタル形式で表された電圧値を出力する。デジタル／アナログ（Ｄ／Ａ）変換部（４０４）は、デジタル形式で表された電圧値により実際の電圧値であるアナログ信号を生成し、回線に出力する。
【００３２】
ＡＴＵ−Ｃ（３００）は、ＡＴＵ−Ｒ（４００）より送られたアナログ信号をアナログ／デジタル（Ａ／Ｄ）変換部（３０５）にてデジタル形式で表される電圧値に変換する。そして、フーリエ変換部（３０６）でデジタル形式の電圧値にフーリエ変換を施し、振幅の変調された各キャリアを取り出す。
【００３３】
デマッピング部（３０７）は、所定のビット数ずつ割り当てられた所定のキャリアからビット配分、及び、送信パワー配分の情報を取り出し、該取り出したビット配分、及び、送信パワー配分の情報をマッピング部（３０２）に出力して記憶する。
【００３４】
上述した処理により算出された２種類のビット配分、及び、送信パワー配分を用いて、マッピング部（３０２、４０２）は、データ伝送時に発生する雑音レベルに応じたビット配分、及び、送信パワー配分を選択し、各キャリアにビット配分、及び、送信パワー配分を行う。また、デマッピング部（３０７、４０６）は、対向局で雑音レベルに応じてなされたビット配分、及び、送信パワー配分と同一のビット配分、及び、送信パワー配分を用いて、キャリアに割り当てられたデータを取り出すことになる。
【００３５】
更に、ＡＴＵ−Ｃ（３００）は、雑音同期トーン発生部（３１１）を有し、ＡＴＵ−Ｒ（４００）は、クロック検出部（４１１）と、ビット・パワー配分選択部（４１２）と、を有する。
【００３６】
ＡＴＵ−Ｃ（３００）側のクロックは、雑音レベルの変化するタイミングに同期したクロックであり、この場合、雑音レベルの変化するタイミングは、既知であるとする。例えば、雑音がＴＣＭ方式のＩＳＤＮ回線からの漏話である場合、近端漏話と遠端漏話とが１．２５ｍｓｅｃ毎に発生するため、各キャリアのＳＮＲも１．２５ｍｓｅｃ毎に変化する。そのため、ＡＴＵ−Ｃ（３００）の送信部では雑音レベルの変化するタイミングに同期した周期１．２５ｍｓｅｃで振幅に変化するクロックを受けてＡＴＵ−Ｒ（４００）の受信部に、当該クロックを送信することが必要となる。そこで、雑音同期トーン発生部（３１１）で当該クロックに同期して信号レベルを変化させた雑音同期トーン信号を発生させてＡＴＵ−Ｒ（４００）に送信している。より詳細には、雑音同期トーン発生部（３１１）は、雑音レベルの変化するタイミングに同期したクロックにより、所定のキャリアの振幅を、雑音レベルの変化するタイミングに同期して変化させ、フーリエ逆変換部（３０３）に出力している。
【００３７】
クロック検出部（４１１）は、フーリエ変換部（４０７）により取り出された、所定キャリアの振幅の変化により雑音レベルの変化するタイミングを検出し、該検出した雑音レベルの変化するタイミングをビット・パワー配分選択部（４１２）に送る。
【００３８】
ビット・パワー配分選択部（４１２）は、クロック検出部（４１１）からの通知により、雑音レベルの変化するタイミングを認識し、マッピング部（４０２）に、記憶した２種類のビット配分、及び、送信パワー配分のうち、雑音レベルに応じたデータ伝送を行うために使用するビット配分、及び、送信パワー配分の指定を行う。また、デマッピング部（４０６）に、記憶した２種類のビット配分、及び、送信パワー配分のうち、データの復調に用いる、ＡＴＵ−Ｃ（３００）で雑音レベルに応じて使用されたビット配分、及び、送信パワー配分と同一のビット配分、及び、送信パワー配分の指定を行う。
【００３９】
図１３には、３４５のシンボルからなるハイパーフレームの構成が示されている。図１３に示された点線Ａより左側のシンボルは、ＩＳＤＮ回線からの漏話雑音が小さく（遠端漏話発生）、キャリアにビットを多く割り当てることができるシンボルである。また、図１３に示された点線ＡとＢとに挟まれたシンボルは、ＩＳＤＮ回線からの漏話雑音が大きく（遠端漏話発生）、キャリアに少しのビットしか割り当てることができないシンボルである。
【００４０】
ＩＳＤＮからの遠端漏話発生タイミングに同期して０シンボルから送信を開始すると、図１３に示されるように３４５番目のシンボルの受信タイミングとＩＳＤＮからの漏話雑音の切り替わるタイミングとが同期する。従って、次の３４６番目のシンボルからＩＳＤＮからの遠端漏話発生タイミングに同期してシンボルの送信を行うことができる。ビット・パワー配分選択部（４１２）には、シンボルの送信順毎に２種類のビット配分、及び、送信パワー配分のうち、何れのビット配分、及び、送信パワー配分を使用すればよいのかが記憶されている。
【００４１】
また、ＡＴＵ−Ｃ（３００）、ＡＴＵ−Ｒ（４００）は、共にエコーキャンセラ部（３１３、４１３）を有している。データの伝送容量を向上させるためは図１４に示されるように、上りと下りとのデータ伝送に使用する周波数帯域を一部重複させることになる。このため、エコーキャンセラ部（３１３、４１３）を設け、反射の影響をキャンセルするようにしている。
【００４２】
エコーキャンセラ部（４１３）は、ＡＴＵ−Ｒ（４００）の送信部がＡＴＵ−Ｃ（３００）側に送信した信号（下り信号）を取得し、その取得した下り信号を基に、ＡＴＵ−Ｒ（４００）側からＡＴＵ−Ｃ（３００）側に送信した信号（下り信号）と、ＡＴＵ−Ｃ（３００）側からＡＴＵ−Ｒ（４００）側に送信した信号（上り信号）と、が混在された信号（混在信号（下り信号＋上り信号））から、その取得した下り信号を減算することで「（混在信号）−下り信号＝上り信号」、相手側となるＡＴＵ−Ｃ（３００）が送信した信号（上り信号）を取得し、ＡＴＵ−Ｒ（４００）の受信部に渡すことになる。また、エコーキャンセラ部（３１３）もエコーキャンセラ部（４１３）と同様な処理を行い、ＡＴＵ−Ｒ（４００）が送信した信号（下り信号）を取得し、ＡＴＵ−Ｃ（３００）の受信部に渡すことになる。
【００４３】
なお、フーリエ逆変換部（３０３）には、疑似ランダム信号発生部（３１０）と、雑音同期トーン発生部（３１１）と、マッピング部（３０２）からの信号が出力されるが、それぞれの装置から出力される信号が同時にフーリエ逆変換部（３０３）に入力されることはない。即ち、フーリエ逆変換部（３０３）は、異なる時間で入力される信号にフーリエ逆変換を施し、デジタル／アナログ（Ｄ／Ａ）変換部（３０４）に出力することになる。なお、上述した各装置は図示しないシーケンサにより制御されている。このシーケンサの制御により疑似ランダム信号発生部（３１０）、雑音同期トーン発生部（３１１）は、所定の信号出力タイミングとなると、フーリエ逆変換部（３０３）に信号を出力する。また、フーリエ逆変換部（３０３）は、シーケンサにより次にどの装置から信号が入力されるのかを認識している。
【００４４】
なお、本発明より先に出願された技術文献として、ｘＤＳＬ伝送に使用される通信用線路からの周期的に雑音量が変換する雑音を、その雑音の変化の周期に同期して周期毎に測定し、雑音の周波数特性を解析する測定装置と、その測定装置の解析結果によりｘＤＳＬ伝送速度を解析する分析装置と、を有し、周期的に雑音量が変化する環境下で伝送速度の一方向試験を可能とするｘＤＳＬ伝送速度測定装置がある（例えば、特許文献１参照）。
【００４５】
また、ＡＤＳＬデータ通信中にデータエラーが発生した際に、所定時間内にダイヤルパルスを受信しない場合は、所定の電話回線信号を受信した場合に、はじめてファーストリトレーニングシーケンスを実行し、所定時間内にダイヤルパルスを受信した場合は、第２の所定時間内に所定の電話回線信号を受信するか、または、第２の所定時間がタイムアウトするとはじめてファーストリトレーニングシーケンスを実行するようにし、ＡＤＳＬデータ通信を復旧させるのに要する時間を電話回線、又は、電話機からの制御信号に応じて短縮したファーストリトレーニング方法がある（例えば、特許文献２参照）。
【００４６】
また、加入者線の高周波数帯域を使用して電話と併存しながら、高速データ伝送を行う加入者用伝送方法において、前記加入者線を介して受信した受信信号の中から周期性を有する雑音を含んだ信号品質出力信号を抽出し、該信号品質出力信号を予測フィルタにてサンプリングして平均化することにより、該雑音の振幅と周期を予測するように構成し、周期性を有する雑音の出力波形を自発的に予測し、最適な信号点配置を自動的に選択して最適な伝送を実現する加入者線用伝送方法がある（例えば、特許文献３参照）。
【特許文献１】特開２００３−２３４０２号公報
【特許文献２】特開２０００−２９５３６４号公報
【特許文献３】特開２０００−１３３４３号公報
【発明の開示】
【発明が解決しようとする課題】
【００４７】
図９に示唆するように、エコーキャンセラ部（３１３、４１３）をＡＤＳＬ伝送装置内に搭載すると、同時オーバーラップを実現することが可能となるため、ＡＤＳＬの高速化や長距離化を図ることが可能となる。
【００４８】
しかしながら、通信回線には、ブリッジタップや分岐点などが存在し、相手側に送信した信号（ＡＴＵ−Ｒ（４００）は上り信号、ＡＴＵ−Ｃ（３００）は下り信号）が、その通信回線上に存在するブリッジタップや、分岐点で反射して戻ってくることになる。このため、そのブリッジタップや、分岐点で反射して戻ってくる信号成分が、混在信号（下り信号＋上り信号）に含まれてしまい、エコーキャンセラ部（３１３、４１３）は、上述した減算処理を行っても、正確な結果を算出できず、反射して回り込んで戻ってきた信号成分がノイズとして残ってしまうことになる。また、通信回線にアレスタなどの素子が存在した場合に、その素子の非線形特性により、エコーキャンセラ部（３１３、４１３）が、正確な減算処理を行うことができない場合がある。このため、エコーキャンセラ部（３１３、４１３）において、ノイズが残ってしまうことになる。従って、エコーキャンセラ部（３１３、４１３）における減算処理により、ノイズが残ってしまい、このノイズのために、正常にデータを送信することができず、エラーが発生する場合がある。なお、アレスタは、落雷などにより発生する雷サージ（通電圧）を、電気設備や電気機器の絶縁レベル以下に制御し、機器の絶縁破壊を防止するものである。
【００４９】
また、電話のリンギングにより生じた電圧がアレスタに印可すると、アレスタの容量が変化し、通信回線の特性が変化してしまうことになる。このため、通信回線の伝送特性が変化してしまうことになり、この通信回線の伝送特性の変化により、初期化時（トレーニング時）に決定した、データを伝送する際のリンク速度を使用することができず、エラーが発生してしまい、このエラーが連続して発生すると、回線（リンク）を切断し、データ伝送を行う際のリンク速度の再設定（再初期化）を行うことになる。
【００５０】
このため、電話のリンギングにより生じる信号が、ノイズとして認識されることになり、電話のリンギングが発生している間は、バースト的なノイズが周期的に発生することになる。従って、電話のリンギング等による周期的なノイズの発生に連動して周期的な連続したエラーが発生してしまうことになる。また、ある一定時間以上で連続してエラーが発生した場合は、通信回線の環境が変化したとみなされ、回線（リンク）を切断し、データ伝送を行う際のリンク速度の再設定（再初期化）を行う場合がある。このため、電話のリンギング等による周期的な雑音がバースト的に発生している状態において、回線の環境が変わったとみなされ、回線（リンク）を切断し、リンク速度の再設定（再初期化）をしてしまうことになる。
【００５１】
なお、上記特許文献１は、ｘＤＳＬ伝送に使用される通信用線路からの周期的に雑音量が変換する雑音を、その雑音の変化の周期に同期して周期毎に測定し、雑音の周波数特性を解析するものであるが、この特許文献１は、周期的に雑音量が変化する環境下で伝送速度の一方向試験を可能とすることを目的としており、ＡＤＳＬデータ通信中の回線切断を回避し、データ伝送を行う際のリンク速度の再設定を防止することを考慮したものではない。
【００５２】
また、上記特許文献２は、ＡＤＳＬデータ通信中にデータエラーが発生した際に、電話回線からのダイヤルパルスを基に、ファーストリトレーニングシーケンスに移行するか否かを判断しているが、このファーストリトレーニングに移行するための移行基準となるダイヤルパルスをどのように検出するかについては、何ら示唆されていない。
【００５３】
また、上記特許文献３は、加入者線を介して受信した受信信号の中から周期性を有する雑音を含んだ信号品質出力信号を抽出し、該信号品質出力信号を予測フィルタにてサンプリングして平均化することにより、周期性を有する雑音の出力波形を自発的に予測し、最適な信号点配置を自動的に選択して最適な伝送を実現するものであり、リンギング等のようなバースト的に発生する周期ノイズに対する対策を考慮したものではない。このため、特許文献３の技術では、加入者線を介して受信したバースト的に発生する周期ノイズの中から周期性を有する雑音を含んだ信号品質出力信号を抽出し、周期性を有する雑音の出力波形を自発的に予測することは困難となる。
【００５４】
本発明は、上記事情に鑑みてなされたものであり、周期的に変化している雑音が突発的に発生している状態において、回線切断を回避し、データ伝送を行う際のリンク速度の再設定を防止する通信品質管理装置、通信品質管理方法を提供することを目的とするものである。
【課題を解決するための手段】
【００５５】
かかる目的を達成するために、本発明は以下の特徴を有することとする。
【００５６】
本発明にかかる通信品質管理装置は、データ伝送を行う際のリンク速度の管理を行う通信品質管理装置であって、リンク速度によるデータ伝送を行っている際に、周期的に変化する雑音周期よりも短い周期で、エラーが発生したか否かを、所定時間監視し、該監視した際に発生したエラーの有無を基に、突発的に発生している周期的な雑音周期か否かを判定し、突発的に発生している雑音周期と判定した場合には、回線切断を回避し、リンク速度によるデータ伝送を行うことを特徴とするものである。
【００５７】
また、本発明にかかる通信品質管理装置は、所定時間監視した際に、エラーの発生の有無が複数ある場合には、雑音周期と判定することを特徴とするものである。
【００５８】
また、本発明にかかる通信品質管理装置は、所定時間監視した際に、エラーの発生の有無が有のみの場合には、雑音周期でないと判定し、回線切断を行い、雑音環境を基にリンク速度を決定し、該決定したリンク速度によるデータ伝送を行うことを特徴とするものである。
【００５９】
また、本発明にかかる通信品質管理装置は、周期的な雑音周期よりも短い周期で、所定の閾値よりもおおきくなったエラー量を検出した際に、エラーが発生したとみなし、所定の閾値以下となったエラー量を検出した際に、エラーが発生していないとみなすことを特徴とするものである。
【００６０】
また、本発明にかかる通信品質管理装置において、所定の閾値は０であることを特徴とするものである。
【００６１】
また、本発明にかかる通信品質管理装置は、所定の閾値を設定する設定手段を有することを特徴とするものである。
【００６２】
また、本発明にかかる通信品質管理装置は、雑音周期と判定した場合には、回線切断を回避し、雑音周期の発生が終了した後に、リンク速度によるデータ伝送を行うことを特徴とするものである。
【００６３】
また、本発明にかかる通信品質管理装置において、周期的に変化する雑音周期よりも短い周期で、エラーが発生したか否かを、所定時間監視する際の、その周期的に変化する雑音周期は、突発的に発生する雑音周期であることを特徴とするものである。
【００６４】
また、本発明にかかる通信品質管理方法は、データ伝送を行う際のリンク速度の管理を行う伝送装置における通信品質管理方法であって、伝送装置において、リンク速度によるデータ伝送を行っている際に、周期的に変化する雑音周期よりも短い周期で、エラーが発生したか否かを、所定時間監視し、該監視した際に発生したエラーの有無を基に、突発的に発生している周期的な雑音周期か否かを判定し、突発的に発生している雑音周期と判定した場合には、回線切断を回避し、リンク速度によるデータ伝送を行うことを特徴とするものである。
【００６５】
また、本発明にかかる通信品質管理方法は、所定時間監視した際に、エラーの発生の有無が複数ある場合には、雑音周期と判定することを特徴とするものである。
【００６６】
また、本発明にかかる通信品質管理方法は、所定時間監視した際に、エラーの発生の有無が有のみの場合には、雑音周期でないと判定し、回線切断を行い、雑音環境を基にリンク速度を決定し、該決定したリンク速度によるデータ伝送を行うことを特徴とするものである。
【００６７】
また、本発明にかかる通信品質管理方法は、周期的な雑音周期よりも短い周期で、所定の閾値よりもおおきくなったエラー量を検出した際に、エラーが発生したとみなし、所定の閾値以下となったエラー量を検出した際に、エラーが発生していないとみなすことを特徴とするものである。
【００６８】
また、本発明にかかる通信品質管理方法において、所定の閾値は０であることを特徴とするものである。
【００６９】
また、本発明にかかる通信品質管理方法において、所定の閾値を設定する設定工程を伝送装置が行うことを特徴とするものである。
【００７０】
また、本発明にかかる通信品質管理方法において、雑音周期と判定した場合には、回線切断を回避し、雑音周期の発生が終了した後に、リンク速度によるデータ伝送を行うことを特徴とするものである。
【００７１】
また、本発明にかかる通信品質管理方法において、周期的に変化する雑音周期よりも短い周期で、エラーが発生したか否かを、所定時間監視する際の、その周期的に変化する雑音周期は、突発的に発生する雑音周期であることを特徴とするものである。
【発明の効果】
【００７２】
本発明にかかる通信品質管理装置及び通信品質管理方法は、データ伝送を行う際のリンク速度を設定し、該設定したリンク速度によるデータ伝送を行っている際に、周期的に変化する雑音周期よりも短い周期で、エラーが発生したか否かを、所定時間監視し、該監視した際に発生したエラーの有無を基に、突発的に発生している周期的な雑音周期か否かを判定し、突発的に発生している雑音周期と判定した場合には、回線切断を回避し、上記のリンク速度によるデータ伝送を行うことを特徴とするものである。これにより、周期的に変化している雑音が突発的に発生している状態において、回線切断を回避し、データ伝送を行う際のリンク速度の再設定を防止することが可能となる。なお、突発的に発生する周期的な雑音としては、電話のリンギング等が挙げられる。
【発明を実施するための最良の形態】
【００７３】
まず、図１を参照しながら、本発明にかかるマルチキャリア伝送システムの特徴について説明する。
【００７４】
本発明にかかるマルチキャリア伝送システムは、データ伝送を行う際のリンク速度を設定し、該設定したリンク速度によるデータ伝送を行っている際に、周期的に変化する雑音周期よりも短い周期で、ＣＲＣエラー検出部（３１４、４１４）において、エラーが発生したか否かを、ＣＲＣエラーカウンタ（３１６、４１６）が所定時間監視し、エラー発生の有無をカウントし、エラーの発生する期間（有）と、エラーの発生しない期間（無）と、の何れかをカウントすることになる。そして、周期雑音検出部（３１７、４１７）が、ＣＲＣエラーカウンタ（３１６、４１６）において所定時間監視した際に発生したエラーの有無を基に、突発的に発生している周期的な雑音周期か否かを判定し、突発的に発生している雑音周期であると、周期雑音検出部（３１７、４１７）が判定した場合には、回線切断を回避し、周期的な雑音の発生が終了した際に、上記設定したリンク速度によるデータ伝送を行うことになる。また、突発的に発生している雑音周期でないと、周期雑音検出部（３１７、４１７）が判定した場合には、回線切断を行い、雑音環境を基に、リンク速度の再設定を行い、その再設定したリンク速度によるデータ伝送を行うことになる。これにより、突発的に発生している周期的な雑音周期が発生したと周期雑音検出部（３１７、４１７）が判定した際は、回線切断を回避することになり、リンク速度の再設定を行わず、突発的に発生している周期的な雑音の発生が終了した際に、データ伝送を行うことが可能となる。
【００７５】
なお、突発的に発生した雑音周期か否かを周期雑音検出部（３１７、４１７）が判定するには、ＣＲＣエラーカウンタ（３１６、４１６）において所定時間監視した際にカウントしたエラーの発生の有無が、複数カウントされたと判定した場合に、周期雑音検出部（３１７、４１７）が、突発的に発生している雑音周期と判定することになる。また、ＣＲＣエラーカウンタ（３１６、４１６）において所定時間監視した際にカウントしたエラーの発生の有無が、有のみがカウントされたと判定した場合に、周期雑音検出部（３１７、４１７）が、突発的に発生している雑音周期でないと判定し、連続的な雑音と判定することになる。これにより、簡易なカウンタを用いて、連続的な雑音と、突発的に発生する周期的な雑音と、を識別することが可能となる。
【００７６】
また、ＣＲＣエラーカウンタ（３１６、４１６）が、ＣＲＣエラー検出部（３１４、４１４）においてエラーが発生したか否かを判定し、エラー発生の有無をカウントする判断材料としては、周期的な雑音周期よりも短い周期で、所定の閾値よりも大きくなったエラー量を検出した場合に、エラーが発生したとみなし、エラー発生有とカウントすることとする。また、所定の閾値以下となったエラー量を検出した場合に、エラーが発生していないとみなし、エラー発生無とカウントすることとする。この、閾値は、任意に設定可能であり、例えば、この閾値として、０と設定することが可能である。また、周期的な雑音周期よりも短い周期間隔で、所定のエラー量の増減を検出した場合に、エラー発生の有無をカウントすることも可能である。
【００７７】
ＡＤＳＬ伝送装置では、ノイズが入ってくることで、エラーが発生することになる。この時、ＡＤＳＬ伝送装置では、連続したエラーが発生した場合は、一旦、リンクを切断し、再度、各周波数のノイズ状況（雑音環境）を基に、リンク速度を決定することになる。
【００７８】
ＡＤＳＬ伝送装置は、例えば、電話のリンギングなどの突発的に発生する周期的なノイズの発生により、連続的にエラーが発生してしまい、このエラーの発生により、リンク（回線）を切断し、再度、リンク速度を設定（再設定）する場合がある。電話のリンギングは、所定の時間が経過すれば、自動的に終了し、ノイズが発生しなくなり、エラーも発生しなくなる。このため、リンギングなどの周期的なノイズにより、エラーが発生した場合は、そのリンギング等によるノイズが発生している所定期間だけ待機していれば、エラーが発生しなくなる。従って、リンキング等の周期的なノイズが発生し、連続的なエラーが発生した場合は、リンクを切断し、再設定を行わなくても、所定時間が経過すれば、再び、エラー発生前のリンク速度でデータ伝送を行うことができる。従って、上記のように、電話のリンギング等の突発的に発生する周期的ノイズにより、エラーが発生した場合には、リンクの切断を回避し、エラーの発生が終了した際に、リンギングが発生する前のリンク速度を用いて、再び、データ伝送を行うことで、リンギング等の周期的ノイズが発生した際に、リンク速度の再設定を行わず、データ伝送を行うことが可能となる。
【実施例】
【００７９】
以下、添付図面を参照しながら、本発明にかかるマルチキャリア伝送システムについて説明する。
【００８０】
まず、図１を参照しながら、本発明にかかるマルチキャリア伝送システムのシステム構成について説明する。
【００８１】
本発明にかかるマルチキャリア伝送システムは、図９に示唆するマルチキャリア伝送システムにおいて、ＡＴＵ−Ｃ（３００）と、ＡＴＵ−Ｒ（４００）と、の双方に、ＣＲＣエラーカウンタ（３１６、４１６）と、周期雑音検出部（３１７、４１７）と、を新たに具備したシステムである。なお、ＣＲＣエラーカウンタ（３１６、４１６）に入力されるクロック信号は、クロック信号生成部を新たに搭載し、ＣＲＣエラーカウンタ（３１６、４１６）にて使用されるクロック信号を発生するように構築したり、既存のクロック信号を分周し、ＣＲＣエラーカウンタ（３１６、４１６）にて使用されるクロック信号を発生するように構築したりすることが可能である。
【００８２】
ＣＲＣエラー検出部（３１４、４１４）は、スクランブル処理及び誤り訂正部（ｓｃｒａｍ＆ＦＥＣ（Ｆｏｒｗａｒｄ  Ｅｒｒｏｒ  Ｃｏｒｒｅｃｔｉｏｎ））（３０８、４０５）において、スクランブル処理を施し、エラー訂正により正しいデータに戻す処理を行ったデータに対して、予め決定された数式を用いて、ＣＲＣ符号のチェック処理を行い、ＣＲＣエラーの発生を検出することになる。このため、ＣＲＣエラーカウンタ（３１６、４１６）は、周期的に変化する雑音周期よりも短い周期のクロック信号を基に、ＣＲＣエラー検出部（３１４、４１４）において、ＣＲＣエラーが発生したか否かを所定時間監視し、周期的に変化する雑音周期よりも短い周期のクロック信号が外部から入力された際に、ＣＲＣエラー検出部（３１４、４１４）においてＣＲＣエラーが発生した場合に、エラー発生有とカウントし、ＣＲＣエラー検出部（３１４、４１４）においてＣＲＣエラーが発生していない場合に、エラー発生無とカウントする。このように、ＣＲＣエラーカウンタ（３１６、４１６）を用いて、ＣＲＣエラーの発生の有無をカウントすることで、ＣＲＣエラー検出部（３１４、４１４）においてエラーの発生する期間と、エラーの発生しない期間と、を識別することが可能となる。
【００８３】
なお、ＣＲＣエラーカウンタ（３１６、４１６）が、ＣＲＣエラー検出部（３１４、４１４）においてエラーが発生したか否かを判定し、ＣＲＣエラー発生の有無をカウントする判断材料としては、周期的な雑音周期よりも短い周期で、所定の閾値よりも大きくなったエラー量を検出した場合に、エラーが発生したとみなし、エラー発生有とカウントすることとする。また、所定の閾値以下となったエラー量を検出した場合に、エラーが発生していないとみなし、エラー発生無とカウントすることとする。なお、所定の閾値は、任意に設定可能であり、例えば、所定の閾値として、０と設定し、０よりも大きくなったエラー量を検出した場合に、ＣＲＣエラーが発生したとみなし、エラー発生有とカウントし、エラー量が０であることを検出した場合に、ＣＲＣエラーが発生していないとみなし、エラー発生無とカウントすることも可能である。また、ＣＲＣエラーの発生の有無をカウントする判断材料としては、ＣＲＣエラー検出部（３１４、４１４）において検出するエラー量の傾きを基に、所定のエラー量の増減（周期的な雑音周期とみなすエラー量の増減）を検出した際に、ＣＲＣエラーが発生したとみなすことも可能である。
【００８４】
周期雑音検出部（３１７、４１７）は、ＣＲＣエラーカウンタ（３１６、４１６）において所定時間監視した際に発生した、ＣＲＣエラー発生の有無のカウントを基に、バースト的に発生する周期的な雑音周期か否かを判定することになり、周期雑音検出部（３１７、４１７）は、ＣＲＣエラーカウンタ（３１６、４１６）において所定時間監視した際に発生した、ＣＲＣエラー発生有無のカウント数が、複数発生したと判定した場合に、バースト的に発生する雑音周期と判定することになり、回線切断を回避し、周期的な雑音の発生が終了した際に、予め設定してあるリンク速度によるデータ伝送を行うことになる。これにより、周期雑音検出部（３１７、４１７）において、バースト的に発生している雑音周期が発生したと判定した際は、回線切断を回避することが可能となり、リンク速度の再設定を行わず、データ伝送を行うことが可能となる。
【００８５】
また、周期雑音検出部（３１７、４１７）は、ＣＲＣエラーカウンタ（３１６、４１６）において所定時間監視した際に発生した、ＣＲＣエラー発生有無のカウントが、ＣＲＣエラー発生有のみがカウントされたと判定した場合に、バースト的に発生している雑音周期でない（連続的な雑音）と判定することになり、この場合は、一度回線切断を行い、雑音環境を基に、リンク速度の再設定を行い、その再設定したリンク速度によるデータ伝送を行うことになる。
【００８６】
次に、図２、図３を参照しながら、バースト的に発生している雑音周期が発生した際の処理動作について説明する。なお、以下の処理動作においては、バースト的に発生している雑音周期として、電話のリンギングを例にとり説明する。
【００８７】
電話のリンギングが発生すると、そのリンギングに連動して、周期的なノイズがバースト的に発生することになり、ＣＲＣエラー検出部（３１４、４１４）は、図２に示唆するような、周期的な雑音周期によるＣＲＣエラーの発生を検出することになる。なお、図２は、スクランブル処理及び誤り訂正部（ｓｃｒａｍ＆ＦＥＣ（Ｆｏｒｗａｒｄ  Ｅｒｒｏｒ  Ｃｏｒｒｅｃｔｉｏｎ））（３０８、４０５）から受け取ったデータを基に、ＣＲＣチェック処理を行い、ＣＲＣエラーの発生を検出した際の図である。なお、図２に示唆する横軸は、時間（ｍｓｅｃ）、を示唆し、縦軸は、エラー発生量、を示唆する。
【００８８】
ＣＲＣエラーカウンタ（３１６、４１６）は、図３に示唆するように、ＣＲＣエラーカウンタ（３１６、４１６）に入力されるクロック信号（周期的な雑音よりも短い周期のクロック信号）が入力される度に、ＣＲＣエラー検出部（３１４、４１４）においてＣＲＣエラーが発生したか否かを判定し、ＣＲＣエラー発生の有無をカウントすることになる。
【００８９】
ＣＲＣエラー発生の有無をカウントする判断材料としては、周期的な雑音周期よりも短い周期で、エラー発生量が０より大きくなった値を検出した場合に、ＣＲＣエラーが発生したとみなし、エラー発生有とカウントし、エラー発生量が０となった値を検出した場合に、ＣＲＣエラーが発生していないとみなし、エラー発生無とカウントすることになる。
【００９０】
周期雑音検出部（３１７、４１７）は、ＣＲＣエラーカウンタ（３１６、４１６）において、周期的な雑音周期よりも短い周期でカウントしたＣＲＣエラー発生の有無のカウント数を基に、バースト的に発生している周期的な雑音周期か否かを判定することになり、周期雑音検出部（３１７、４１７）は、所定時間監視した際に、周期的な雑音周期よりも短い周期でカウントしたエラー発生の有無が、複数カウントされた場合には、バースト的に発生している雑音周期と判定することになり、回線切断を回避することになる。
【００９１】
また、周期雑音検出部（３１７、４１７）は、所定時間監視した際に、周期的な雑音周期よりも短い周期でカウントしたエラー発生の有無が、エラー発生有のみがカウントされた場合には、バースト的に発生している雑音周期でないと判定し、一度回線切断を行い、雑音環境を基に、リンク速度の再設定を行うことになり、その再設定したリンク速度によるデータ伝送を行うことになる。これにより、周期雑音検出部（３１７、４１７）において周期的に変化しているバースト的な雑音周期が発生したと判定した際は、回線切断を回避することになり、リンク速度の再設定を行わず、周期的な雑音の発生が終了した際に、データ伝送を行うことになる。
【００９２】
次に、図４を参照しながら、リンギングによる回線切断を回避する際の処理動作について説明する。
【００９３】
リンギングが発生すると、図４に示唆するように、周期的なリンギング波形が検出されることになり（リンギング波形）、そのリンギングの検出に連動して、ＣＲＣエラー検出部（３１４、４１４）において、ＣＲＣエラーを検出することになる（ＣＲＣ  Ｅｒｒｏｒ）。この時、ＣＲＣエラーカウンタ（３１６、４１６）は、周期的に発生する雑音周期よりも短い周期で、ＣＲＣエラー検出部（３１４、４１４）においてＣＲＣエラーが検出されたか否かを所定時間Ａ監視し、ＣＲＣエラー発生の有無をカウントすることになる（Ｐｏｌｌｉｎｇ）。なお、このＣＲＣエラーが発生すると、所定時間Ｂ遅延してＬＣＤ（Ｌｏｓｓ  ｏｆ  Ｃｅｌｌ  Ｄｅｌｉｎｅａｔｉｏｎ）／ＮＣＤ（Ｎｏ  Ｃｅｌｌ  Ｄｅｌｉｎｅａｔｉｏｎ）  Ｅｒｒｏｒを検出することになる（ＬＣＤ／ＮＣＤ  Ｅｒｒｏｒ）。周期雑音検出部（３１７、４１７）は、この、ＬＣＤ／ＮＣＤ  Ｅｒｒｏｒを検出した後、所定時間Ｃ待機し、その後、回線を切断させずに、所定時間Ａ監視した間にカウントしたＣＲＣエラー発生の有無のカウント数を基に、バースト的に発生している雑音周期か否かを判定することになる。そして、ＣＲＣエラーカウンタにおいて所定時間Ａ監視した際に発生した、ＣＲＣエラー発生有のカウント数が複数発生したと判定した場合に、バースト的に発生している雑音周期と判定し、リンギングが発生したとみなし、回線切断を回避し、ＬＣＤ／ＮＣＤ  Ｅｒｒｏｒが消えるまで所定時間Ｄ待機し、リンギングの発生が終了した際に、予め設定してあるリンク速度によるデータ伝送を行うことになる。これにより、データ伝送を行っている際に、リンギングが発生したと判定した場合は、リンク速度の再設定を行わず、リンギングの発生が終了した際に、データ伝送を行うことが可能となる。
【００９４】
なお、本発明にかかるマルチキャリア伝送システムにおける、ＡＴＵ−Ｃ（３００）と、ＡＴＵ−Ｒ（４００）と、の具備する送受信部の構成は、特に、限定するものではなく、上記実施例のように、ＡＴＵ−Ｃ（３００）と、ＡＴＵ−Ｒ（４００）と、の受信部の具備するＣＲＣエラー検出部（３１４、４１４）において、周期的に変化する雑音周期よりも短い周期で、エラーが発生したか否かを、ＣＲＣエラーカウンタ（３１６、４１６）が所定時間Ａ監視し、周期雑音検出部（３１７、４１７）が、ＣＲＣエラーカウンタ（３１６、４１６）において所定時間Ａ監視した際に発生したエラー発生の有無を基に、周期的な雑音周期か否かを判定し、周期雑音検出部においてバースト的に発生している雑音周期であると判定した場合には、回線切断を回避し、周期的な雑音の発生が終了した際に、予め設定したリンク速度によるデータ伝送を行い、周期雑音検出部（３１７、４１７）においてバースト的に発生している雑音周期でないと判定した場合には、回線切断を行い、雑音環境を基に、リンク速度の再設定を行い、その再設定したリンク速度によるデータ伝送を行うことが、可能な構成であれば、ＡＴＵ−Ｃ（３００）と、ＡＴＵ−Ｒ（４００）と、の送受信部の構成部分に対し種々の変更を施すことが可能である。
【００９５】
また、図５に示唆するように、ＡＴＵ−Ｃ（３００）の送信部の後段、及び、ＡＴＵ−Ｒ（４００）の受信部の前段に、下り方向のデータ伝送に用いる周波数帯域から発生するサイドローブを取り除くためにハイパスフィルタを設け、同様に、ＡＴＵ−Ｃ（３００）の受信部の前段、及び、ＡＴＵ−Ｒ（４００）の送信部の後段に、上り方向のデータ伝送に用いる周波数帯域から発生するサイドローブを取り除くためのローパスフィルタを設けることも可能である。
【００９６】
また、上記実施例においては、エコーキャンセラ（３１３、４１３）を搭載したマルチキャリア伝送システムにおける回線切断回避策について説明したが、このエコーキャンセラ（３１３、４１３）を搭載しないマルチキャリア伝送システムにおいても、本願発明の回線切断回避策を適用することは可能である。これは、本願発明の回線切断回避策は、エコーキャンセラやアレスタによるエラー発生に限定するものではなく、例えば、保安器など、その他の原因によりバースト的に発生する周期的なエラーを発生する場合にも適用が可能なためである。
【００９７】
なお、上述する実施例は、本発明の好適な実施例であり、上記実施例のみに本発明の範囲を限定するものではなく、本発明の要旨を逸脱しない範囲において種々の変更を施した形態での実施が可能である。例えば、上述した説明では、本発明をＡＤＳＬシステムに適用して説明したが、ＳＤＳＬ（Ｓｙｍｍｅｔｒｉｃ  Ｄｉｇｉｔａｌ  Ｓｕｂｓｃｒｉｂｅｒ  Ｌｉｎｅ）、ＨＤＳＬ（Ｈｉｇｈ  ｓｐｅｅｄ  Ｄｉｇｉｔａｌ  Ｓｕｂｓｃｒｉｂｅｒ  Ｌｉｎｅ）、ＶＤＳＬ（Ｖｅｒｙ  ｈｉｇｈ  ｓｐｅｅｄ  Ｄｉｇｉｔａｌ  Ｓｕｂｓｃｒｉｂｅｒ  Ｌｉｎｅ）などへの適用も可能である。また、本発明は、ＴＣＭ−ＩＳＤＮが隣接する漏話雑音環境に限定せず、その他の雑音環境下にも適用可能である。なお、本実施例では、エラー発生を基に、リンギング等のバースト的に発生する周期的な雑音周期の発生を識別しているが、電話回線に印可される電圧を基に、バースト的に発生する周期的な雑音を識別することも可能である。
【産業上の利用可能性】
【００９８】
本発明にかかる通信品質管理装置及び通信品質管理方法は、データの通信処理を行うあらゆる通信装置に適用可能である。
【図面の簡単な説明】
【００９９】
【図１】本発明にかかるマルチキャリア伝送システムのシステム構成を示唆するブロック図である。
【図２】ＣＲＣエラー検出部（３１４、４１４）においてＣＲＣチェック処理を行い、ＣＲＣエラーの発生を検出した際を示唆する図である。
【図３】周期的な雑音よりも短い周期のクロック信号が入力される度に、ＣＲＣエラー検出部（３１４、４１４）においてＣＲＣエラーが発生したか否かを判定し、ＣＲＣエラー発生の有無をカウントする場合を示唆する図である。
【図４】リンギング等のバースト的に発生する周期的なノイズが発生した際に、回線切断を回避する際の処理動作を示唆する図である。
【図５】本発明にかかるマルチキャリア伝送システムの第２のシステム構成を示唆するブロック図である。
【図６】ＡＤＳＬサービスの提供を受ける際のＡＤＳＬ伝送システムの構成例を示唆する図である。
【図７】ＩＳＤＮ回線からの漏話雑音を説明するための図である。
【図８】近端漏話と遠端漏話との雑音量を示唆する図である。
【図９】従来のマルチキャリア伝送システムのシステム構成を示唆するブロック図である。
【図１０】ビット・パワー配分計算部の構成を示唆するブロック図である。
【図１１】ビット・パワー配分計算部の構成を示唆するブロック図である。
【図１２】ビット配分の算出方法を模式的に示唆する図である。
【図１３】ハイパーフレームの構成を示唆する図である。
【図１４】エコーキャンセラ方式によるデータ伝送に用いられる周波数帯域を示唆する図である。
【符号の説明】
【０１００】
１００    ＰＣ
１０１    ＡＤＳＬモデム
１０２、２０３    ＳＰＬ
１０３    ＭＪ
１０４    電話機
１０５    保安器
２０１    ＤＳＬＡＭ
２０２    電話交換機
２０４    ＭＤＦ
３００    ＡＴＵ−Ｃ
４００    ＡＴＵ−Ｒ
３０１、４０１、３０８、４０５    ｓｃｒａｍ＆ＦＥＣ
３０２、４０２    マッピング部
３０３、４０３    フーリエ逆変換部
３０４、４０４    デジタル／アナログ変換部
３０５、４０８    アナログ／デジタル変換部
３０６、４０７    フーリエ変換部
３０７、４０６    デマッピング部
３１０、４０９    疑似ランダム信号発生部
３１１    雑音同期トーン発生部
３１２、４１０    ビット・パワー配分計算部
３１３、４１３    エコーキャンセラ部
３１４、４１４    ＣＲＣエラー検出部
３１５、４１５    ＣＲＣエラー処理部
３１６、４１６    ＣＲＣエラーカウンタ
３１７、４１７    周期雑音検出部
４１１    クロック検出部
４１２    ビット・パワー配分選択部
４１４    下り方向ＳＮＲ評価部
【図１】
2005348261.tif 000003
【図２】
2005348261.tif 000004
【図３】
2005348261.tif 000005
【図４】
2005348261.tif 000006
【図５】
2005348261.tif 000007
【図６】
2005348261.tif 000008
【図７】
2005348261.tif 000009
【図８】
2005348261.tif 000010
【図９】
2005348261.tif 000011
【図１０】
2005348261.tif 000012
【図１１】
2005348261.tif 000013
【図１２】
2005348261.tif 000014
【図１３】
2005348261.tif 000015
【図１４】
2005348261.tif 000016